【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
身体管腔を閉塞させるための装置であって、
複数の編組フィラメントを含むメッシュ構造であって、前記メッシュ構造は近位端と遠位端との間に延在する縦軸を画定し、前記メッシュ構造の前記フィラメントは、前記近位端で近位ハブ内に、かつ前記遠位端で遠位ハブ内に固定されている、メッシュ構造
を備え、
前記メッシュ構造は完全に拡張した弛緩構成から圧縮構成に半径方向に圧縮可能であり、前記管腔内に配備されると、前記圧縮構成から部分的に拡張した、制約構成に弾性的に拡張可能であり、
前記弛緩構成における前記メッシュ構造は、前記縦軸に沿って間隔を置いた複数の半径方向に延出している閉塞領域を含み、前記閉塞領域の各々は、前記構造の前記縦軸に対して７０°〜８５°の角度を画定する側面を有し、かつ
前記メッシュ構造の前記制約構成において、各半径方向に延出している閉塞領域は各フィラメントに対して前記管腔の２つの半径方向トラバースを画定し、半径方向トラバースの前記総数は７２０〜２０００の間である、
装置。
【請求項２】
前記メッシュ構造は単層の連続した管状編組構造である、請求項１に記載の装置。
【請求項３】
各半径方向に延出している閉塞領域は第１の直径を有し、前記第１の直径よりも小さい第２の直径を有する前記メッシュ構造の連結部によって、最も近い隣接した半径方向に延出している閉塞領域から分離されている、請求項１に記載の装置。
【請求項４】
前記弛緩構成における前記メッシュ構造は、少なくとも３つの半径方向に延出している閉塞領域を含む、請求項１に記載の装置。
【請求項５】
前記メッシュ構造は前記縦軸に沿って軸長を画定し、前記閉塞領域は、前記軸長の１センチメートルあたり４〜１０の間のメッシュ層を提供する、請求項１に記載の装置。
【請求項６】
前記メッシュ構造が前記制約構成にある場合の前記角度は、前記メッシュ構造が前記弛緩構成にある場合の前記角度よりも小さい、請求項１に記載の装置。
【請求項７】
前記閉塞領域の各々は、前記閉塞領域の各々がせいぜい約２ｍｍの厚さを有する周辺縁を有する、請求項１に記載の装置。
【請求項８】
前記装置は前記縦軸に沿って軸長を有し、前記装置は３〜７の間の半径方向に延出している閉塞領域を含み、それにより前記装置は、前記軸長の１センチメートルあたり３〜７の間の周辺縁を含む、請求項７に記載の装置。
【請求項９】
縦軸に沿って近位端と遠位端との間に軸長を画定するメッシュ構造であって、前記メッシュ構造は前記近位端と前記遠位端との間に延在する編組フィラメントメッシュを含み、前記編組フィラメントメッシュは近位ハブ内の前記近位端および遠位ハブ内の前記遠位端で終了している複数の編組フィラメントを含む、メッシュ構造
を備え、
前記メッシュ構造は半径方向に圧縮した構成および半径方向に拡張した弛緩構成を有し、
前記弛緩構成における前記メッシュ構造は、前記縦軸に沿って相互に間隔を置いた、第１の直径を有する複数の半径方向に延出している閉塞領域を有し、各半径方向に延出している閉塞領域は、前記第１の直径よりも小さい第２の直径を有する連結領域により、最も近い隣接した半径方向に延出している閉塞領域から軸方向に分離されており、各半径方向に延出している閉塞領域は、周辺縁で交わる近位側および遠位側を有し、かつ
前記閉塞領域は前記軸長の１センチメートルあたり４〜１０の間のメッシュ層を提供する、
身体管腔を閉塞させるための装置。
【請求項１０】
前記メッシュ構造は単層の連続した編組構造である、請求項９に記載の装置。
【請求項１１】
前記弛緩構成における前記メッシュ構造は、少なくとも３つの半径方向に延出している閉塞領域を含む、請求項９に記載の装置。
【請求項１２】
前記近位側および前記遠位側の少なくとも１つは、前記弛緩構成において前記縦軸に対して７０°〜８５°の間の角度を画定する、請求項９に記載の装置。
【請求項１３】
前記メッシュ構造は前記身体管腔内で部分的に拡張した制約構成をとり、それにより、前記制約構成において、各半径方向に延出している閉塞領域は、各フィラメントに対して前記管腔の２つの半径方向トラバースを画定し、半径方向トラバースの前記総数は７２０〜２０００の間である、請求項９に記載の装置。
【請求項１４】
前記メッシュ構造は前記身体管腔内で部分的に拡張した制約構成をとり、前記角度は、前記メッシュ構造が前記制約構成にある場合、前記メッシュ構造が前記弛緩構成にある場合の前記角度よりも小さい、請求項９に記載の装置。
【請求項１５】
前記閉塞領域の各々は、前記閉塞領域の各々がせいぜい約２ｍｍの厚さを有する周辺縁を有する、請求項９に記載の装置。
【請求項１６】
前記装置は３〜７の間の半径方向に延出している閉塞領域を含み、それにより前記装置は、前記軸長の１センチメートルあたり２〜４の間の周辺縁を含む、請求項１５に記載の装置。
【請求項１７】
腔内壁によって画定される身体管腔を閉塞させるための装置であって、前記装置は、
近位端と遠位端との間に縦軸を有するメッシュ構造であって、前記メッシュ構造は前記近位端と前記遠位端との間に延在する編組フィラメント状メッシュを含み、前記メッシュは複数の編組フィラメントを含み、その各々は近位ハブ内の前記近位端および遠位ハブ内の前記遠位端で終了する、メッシュ構造
を備え、
前記メッシュ構造は半径方向に圧縮した構成および弛緩構成を有し、
前記半径方向に圧縮した構成における前記メッシュ構造は、前記身体管腔内の標的部位への送達のために０．７ｍｍを超えない外径を有し、かつ
前記弛緩構成における前記メッシュ構造は複数の半径方向に延出している閉塞領域を有し、各半径方向に延出している閉塞領域は、周辺縁で交わる近位側および遠位側を有し、前記近位側および前記遠位側の少なくとも１つは、前記弛緩構成における場合、前記メッシュ構造の前記縦軸に対して第１の角度を成し、前記メッシュ構造が前記周辺縁と前記腔内壁との間の接触によって半径方向に制約される場合、第２の角度は前記第１の角度より小さい、
装置。
【請求項１８】
前記メッシュ構造は単層の連続した編組構造である、請求項１７に記載の装置。
【請求項１９】
前記弛緩構成における前記メッシュ構造は、少なくとも３つの半径方向に延出している閉塞領域を含む、請求項１７に記載の装置。
【請求項２０】
前記第１の角度は約７０°〜８５°の間であり、前記第２の角度は約７０°未満である、請求項１７に記載の装置。
【請求項２１】
前記メッシュ構造は前記身体管腔内にある場合に部分的に拡張した制約構成をとり、それにより、前記制約構成において、各半径方向に延出している閉塞領域は、各フィラメントに対して前記管腔の２つの半径方向トラバースを画定し、半径方向トラバースの前記総数は７２０〜２０００の間である、請求項１７に記載の装置。
【請求項２２】
前記メッシュ構造は前記縦軸に沿って軸長を画定し、前記閉塞領域は、前記軸長の１センチメートルあたり４〜１０の間のメッシュ層を提供する、請求項１７に記載の装置。
【請求項２３】
前記閉塞領域の各々の前記周辺縁はせいぜい約２ｍｍの厚さを有する、請求項１７に記載の装置。
【請求項２４】
前記装置は前記縦軸に沿って軸長を有し、前記装置は３〜７の間の半径方向に延出している閉塞領域を含み、それにより前記装置は、前記軸長の１センチメートルあたり３〜７の間の周辺縁を含む、請求項２３に記載の装置。
【請求項２５】
血管管腔を構成する管腔内壁を有する血管を塞栓させるための移植装置であって、該装置は、
前記移植装置が血管の血管管腔中の標的部位に位置決めされるときに、（ａ）圧縮送達状態から（ｂ）拡張配備位置に半径方向に拡張するように構成されたメッシュ構造を含み、
送達状態において、前記メッシュ構造は、略円筒形形状を有し、
拡張状態において、
前記メッシュ構造は、複数の半径方向に延びる複数の領域を含み、
前記半径方に延びる領域は、多孔性であり、前記移植装置および前記血管管腔を通る血流を遮るように構成されており、
前記半径方向に延びる領域の個々の領域は、前記血管管腔の管腔内壁に係合するように構成された頂点を含み、
前記頂点の各々は、前記閉塞装置の長手方向軸線に沿った厚さを有し、
前記頂点の組み合わされた厚さは、前記長手方向に沿った前記メッシュ構造の全長さの約５０％よりも小さい、装置。
【請求項２６】
前記メッシュ構造は、カテーテルを通して前記標的部位に送達されるように構成されている、請求項２５に記載の装置。
【請求項２７】
拡張状態において、前記頂点の各々の厚さは、約１ｍｍよりも小さい、請求項２５に記載の装置。
【請求項２８】
拡張状態において、前記頂点の各々は、０．１０ｍｍ〜０．４０ｍｍの間にある縁半径を有する、請求項２５に記載の装置。
【請求項２９】
拡張状態において、前記メッシュ構造は、複数のコア部を含み、前記コア部の個々のコア部は、隣接した対の前記半径方向に延びる部分の間にあり、前記コア部は、略円筒形形状を有する、請求項２５に記載の装置。
【請求項３０】
拡張状態において、前記コア部の個々のコア部は、０．２５ｍｍ〜３ｍｍの間の直径を有し、前記半径方向に延びる個々の部分は、２ｍｍ〜１２ｍｍの間の直径を有する、請求項２９に記載の装置
【請求項３１】
拡張形態において、前記頂点の組み合わされた厚さは、前記長手方向軸線に沿った前記メッシュ構造の全長さの約２５％よりも小さい、請求項２５に記載の装置。
【請求項３２】
拡張状態において、隣接した対の前記頂点の間の距離は、０．７ｍｍ〜４．５ｍｍの間にある、請求項２５に記載の装置。
【請求項３３】
前記メッシュ構造の近位部分に結合された取り付け治具をさらに含み、前記取付け固定具は、前記標的部位に前記メッシュ構造を送達するためのプッシャ要素に着脱可能に連結されるように構成されている、請求項２５に記載の装置。
【請求項３４】
前記メッシュ構造は、該メッシュ構造が配備状態に部分的に拡張されるように、配備状態において前記血管によって制約されており、前記メッシュ構造は、該メッシュ構造が前記血管によって制約されないときに、弛緩状態に半径方向に拡張されるようにさらに構成されている、請求項２５に記載の装置。
【請求項３５】
弛緩状態において、前記半径方向に延びる領域の個々の領域は、前記長手方向軸線に対する第１の角度を構成し、
部分的に拡張した配備状態において、前記半径方向に延びる領域の個々の領域は、前記第１の角度よりも小さい前記長手方向軸線に対する第２の角度を構成する、請求項３４に記載の装置。
【請求項３６】
前記第２の角度は、２０°〜６０°の間にある、請求項３５に記載の装置。
【請求項３７】
前記半径方向に延びる領域の個々の領域は、前記長手方向軸線と垂直に延びる平面に沿った円形の横断面形状を有する、請求項３５に記載の装置。
【請求項３８】
前記半径方向に延びる領域の個々の領域は、（ａ）前記頂点を通って、かつ、（ｂ）長手方向軸線と垂直に延びる平面のまわりで実質的に対称的である、請求項３５に記載の装置。